【事件の表示】
　平成　６年特許願第２６８０２０号「超音波診断装置」拒絶査定不服審判事件〔平成　８年　４月３０日出願公開、特開平　８−１０７８９５〕について、次のとおり審決する。
【結　論】
　本件審判の請求は、成り立たない。
【理　由】
１．手続の経緯
　本願は、平成６年１０月７日の出願であって、平成１３年１０月３日付け、平成１５年７月２日付け、及び平成１５年１０月６日付けでそれぞれ手続補正書が提出されたが、平成１５年７月２５日付けの（最後の）拒絶理由通知書で通知した拒絶理由に対して提出された平成１５年１０月６日付けの手続補正書による補正は、平成１５年１０月２４日付けの補正却下の決定により却下されるとともに、同日付けの拒絶査定がなされたところ、同年１２月４日、これに対する不服の審判が請求され、さらに平成１５年１２月２６日付けの手続補正書をもって特許請求の範囲等が補正（以下、「本件補正」という。）されたものである。
　
２．平成１５年１２月２６日付けの手続補正についての補正却下の決定
[補正却下の決定の結論]
　平成１５年１２月２６日付けの手続補正を却下する。
[理由]
（１）本件補正発明
　本件補正により、特許請求の範囲の請求項１は次のとおりに補正された。
「【請求項１】
　被検体内に超音波を送受信する探触子と、該送受信した超音波による反射エコー信号を処理する超音波送受信部と、該処理した反射エコー信号を被検体内の断層像データとして時系列に記録すると共に該被検体から検出した
心電波形
心電波形
　上記記録手段は、断層像のリアルタイム像及びその心時相情報を記録するものと、上記リアルタイム像に関連する参照画像及びその心時相情報を記録するものとの複数個を並列に備え、
　上記複数個の記録手段から、
上記生体信号検出手段で検出された心電波形のＲ波より所定時相だけ遡った時相又は所定時相だけ経過した時相にて
心電波形上の心時相マークで示される
させる
　
　本件補正は、請求項１に記載した発明の構成に欠くことができない事項である「制御手段」について、「上記生体信号検出手段で検出された心電波形のＲ波より所定時相だけ遡った時相又は所定時相だけ経過した時相にて（上記リアルタイム像の）心電波形上の心時相マークで示される（心時相に合わせて）」と限定を付加するものであって、平成６年法律第１１６号による改正前の特許法第１７条の２第３項第２号に規定する特許請求の範囲の減縮を目的とするものに該当する。
　そこで、本件補正発明が特許出願に際して独立して特許を受けることができるものであるか（平成６年法律第１１６号による改正前の特許法第１７条の２第４項において読み替えて準用する同法第１２６条第３項の規定に適合するか）について以下に検討する。
　
（２）刊行物に記載された事項
　原査定の拒絶の理由に引用された特開平４−２０３３８号公報（以下、「刊行物１」という。）には、図面とともに次の事項が記載されている。
　
ア．「そこで本発明の目的は、現在の超音波画像と再生画像との動画像同士を同時相で容易に比較して、良好な診断を行なえ、検査時間を短縮し、操作者の負担を軽減し得る超音波診断装置を提供することにある。」（第２頁右上欄第１６行〜第２０行）
イ．「（実施例）
　第１図は本発明に係る超音波診断装置の一実施例を示すセクタ電子走査型超音波診断装置を示す概略ブロック図、第２図はＴＶモニタに表示された超音波像及び再生画像とＥＣＧ波形などを示す図、第３図は操作パネルの概略構成図である。なお第２図に示すようにＴＶモニタ９の画面上には、現在のＥＣＧ信号と再生画像との時相が表示されている。そしてこれらの時相を同期させるべく、前記第３図に示す操作パネル２４に設けられた時相差設定キー２４ｃにより手動で設定するか、またＡＵＴＯキー２４ｄにより時相差をＡＵＴＯ調整できるものとなっている。
　超音波診断装置は、現在の超音波画像データを得るべく、超音波探触子１、Ｔ／Ｒ２（送受波回路）、断層像データを得るためのＢモード処理部３、・・・第１の記憶手段としてのＤＳＣ７（ディジタル・スキャン・コンバータ）、加算器８、ＴＶモニタ９を有している。
　前記超音波探触子１は、複数の超音波振動子を併設してなり、セクタ走査を行うべく、超音波ビームの送波方向が順次扇状に変わるように各々振動子の励振タイミングを所望の方向に応じて変化させていく。
　Ｔ／Ｒ２は、超音波送信レートパルスを前記振動子ごとに発生し、これら振動子ごとのレートパルスに対して所定の方向に超音波を送波する如く遅延時間を与え、振動子ごとに遅延されたレートパルスにより超音波探触子１を駆動する。超音波探触子１は、前記Ｔ／Ｒ２により駆動されると、超音波を発生し、この超音波を図示しない被検体に向けて送波する。
　そして前記被検体から反射される超音波は、前記超音波探触子１の同一振動子に受波され、前記Ｔ／Ｒ２に出力される。またＴ／Ｒ２は、振動子ごとの受信信号に対して、送信時で遅延した時間を元に戻すように遅延時間をかける。しかるのち、図示しない加算器により振動子ごとの受信信号が加算合成され、Ｂモード処理部３・・・に出力される。
　受信信号は、Ｂモード処理部３により包絡線検波され、Ｂモード像データ（断層像データ）としてＤＳＣ７に出力される。」（第３頁左上欄第９行〜左下欄第１３行）
ウ．「さらに前記フレームごとの現在のＢモード像データ・・・は、ＤＳＣ７によりこれらに対応するフレームメモリに順次書き込まれ、これらの画像データはＴＶスキャン（走査）変換されて、加算器８に出力される。」（第３頁右下欄第６行〜第１１行）
エ．「一方、超音波診断装置は、記録装置１０ａに記録した再生画像を前記超音波画像に同期して得るべく、再生画像装置１０及び心拍同期検出のためのＥＣＧ　ＡＭＰ２１、Ｒ波検出回路２２を有する。再生画像装置１０は、前記記録装置１０ａ、第２の記憶手段としてのＤＳＣ１５、コントローラ２３を有する。前記記録装置１０ａは、画像データを記憶するための記録媒体としてＶＴＲ１１、光ディスク１２、超音波診断装置１３と、これらのいずれかを選択するスイッチ１４とを有してなる。前記ＤＳＣ１５は、記録装置１０ａから読み出したフレームごとの再生画像データをこれらに対応するフレームメモリに順次記憶しこれらをスキャン変換して前記加算器８に出力する。
　コントローラ２３は、ＤＳＣ１５から読み出す再生画像データの読み出しタイミングを、前記現超音波画像データの時相に合致させるべく制御すると共に、前記ＴＶモニタ９の画面上における前記再生画像の表示位置、再生画像の拡大及び縮小を制御し、さらに前記スイッチ１４の選択制御を行なう。
　加算手段としての加算器８は、前記ＤＳＣ７で読み出した現超音波画像データとＤＳＣ１５で読み出した再生画像データとを加算し得られた加算出力を表示手段としてのＴＶモニタ９に出力する。」（第３頁右下欄第１２行〜第４頁左上欄第１６行）
オ．「次に前記再生画像装置の動作について説明する。
前記コントローラ２３から選択信号がスイッチ１４に人力すると、スイッチ１４によりＶＴＲ１１、光ディスク１２、超音波診断装置１３のいずれかが選択される。そして選択された記録媒体から再生画像データは読み出され、スイッチ１４を介してフレームごとにＤＳＣ１５の対応するフレームメモリに書き込まれる。すなわちフレームごとの再生画像データは、コントローラ２３の書き込み制御の下、第５図に示すような水平同期信号ＨＤ、垂直同期信号ＶＤにより、第４図に示すような１フレームメモリに奇数水平ライン（ＯＤＤ、図中破線）と偶数水平ライン（ＥＶＥＮ、図中実線）とで交互に書き込まれていく。
　一方、ＥＣＧ　ＡＭＰ２１により被検体からの心電信号（以下ＥＣＧ信号という。）は増幅され、Ｒ波検出回路２２により前記ＥＣＧ信号の中からＲ波のみが検出されてＲ波同期信号が生成され、このＲ波同期信号は前記コントローラ２３に出力される。
　前記コントローラ２３は、第６図に示すようなページ（頁）制御部２３ａを有し、このページ制御部２３ａは、例えばＶＴＲ１１から人力する再生画像データとＥＣＧ　ＡＭＰ２１から入力するＲ波同期信号（前記超音波画像データと同時相）との時相差を自動的（ＡＵＴＯ）にカウントする時相差器３１、時相を手動（ＭＡＮＵＡＬ）でＵＰまたはＤＯＷＮ調整する時相差器３２、これら２つのいずれかの時相差器を選択するセレクタ３３、フレームクロック信号をカウントするカウンタ３４、カウンタ３４の出力からセレクタ３３の出力をサブトラクションするＳＵＢ３５（サブトラクション）からなっている。
　このページ制御部２３ａにより、時相差をＡＵＴＯ調整する場合には、時相差器３１を用いる。すなわち第７図に示すようにＲ波同期信号がＥＣＧ　ＡＭＰ２１から入力するＥＣＧ信号に基づき生成される。また図示の如くＲ波に同期して前述した現在の超音波画像データは、フレームごとに対応するフレームメモリに書き込まれていく。
また前記Ｒ波同期信号に対して時間ｔ０だけ遅延したＶＴＲ再生信号により再生画像データを読み出す場合には、カウンタ３４から出力されるフレームクロック数からセレクタ３３の時相差出力がＳＵＢ３５によりサブトラクションされる。
　したがって、ＶＴＲ１１からの再生画像データがＲ波同期信号、つまり超音波画像データに同期しながらＤＳＣ１５から読み出される。なお時相差器３２を用いてマニュアル調整するようにしても良い。」（第４頁左上欄第１７行〜右下欄第７行）
カ．「かくして前記読み出し制御部２３ｂによりＤＳＣ１５から前記Ｘアドレス、Ｙアドレスで読み出された再生画像データと、ＤＳＣ７から読み出された現在の超音波画像データとは、加算器８により加算され、さらに第２図に示すようにＴＶモニタ９に被検体の現在の超音波画像（・・・）と比較的小領域の再生画像とが同時に表示される。
　したがって、動画像としての現在の超音波画像と過去の超音波画像（再生画像）とを同時相で観察しながら再検査でき、術前、術後の変化を容易に把握できる。」（第５頁右上欄第１６行〜左下欄第７行）　
　
（３）対比
　本件補正発明と刊行物１に記載された発明（以下、「刊行物１発明」という。）とを対比すると、
　刊行物１発明の「超音波探触子１」，「Ｂモード処理部３」，「ＤＳＣ７とＤＳＣ１５」，「ＥＣＧ　ＡＭＰ２１とＲ波検出回路２２」，「ＴＶモニタ９」は、それぞれ本件補正発明の「超音波を送受信する探触子」，「反射エコー信号を処理する超音波送受信部」，「ディジタルスキャンコンバータ」，「生体信号検出手段」，「表示手段」に対応するものである。
　また、刊行物１発明の「第１の記憶手段としてのＤＳＣ７」は、現在の超音波画像を記録するものであり、「記録装置１０ａ」及び「第２の記憶手段としてのＤＳＣ１５」は、過去の超音波画像（再生画像）を記録するものであるから、刊行物１発明の「ＤＳＣ７」と「記録装置１０ａ及びＤＳＣ１５」は、本件補正発明の「断層像のリアルタイム像及びその心時相情報を記録するものと、上記リアルタイム像に関連する参照画像及びその心時相情報を記録するものとの複数個を並列に備え」る記録手段とは、「断層像のリアルタイム像を記録するものと、上記リアルタイム像に関連する参照画像を記録するものとの複数個を並列に備え」る記憶手段である点で共通する。
　そして、刊行物１発明のコントローラ２３は、現在の超音波画像の心電波形上の時相に合わせて過去の超音波画像（再生画像）を現超音波画像と同期して再生させ同一のＴＶモニタ画面に表示させるものであるから、刊行物１発明の「コントローラ２３」は、本件補正発明の「上記複数個の記録手段から、上記生体信号検出手段で検出された心電波形のＲ波より所定時相だけ遡った時相又は所定時相だけ経過した時相にて上記リアルタイム像の心電波形上の心時相マークで示される心時相に合わせて参照画像をリアルタイム像と同期再生し同一の表示手段の画面に表示させる制御手段」とは、「上記複数個の記録手段から、上記リアルタイム像の心電波形上の心時相に合わせて参照画像をリアルタイム像と同期再生し同一の表示手段の画面に表示させる制御手段」である点で共通する。
　
　したがって、両者は、
「被検体内に超音波を送受信する探触子と、該送受信した超音波による反射エコー信号を処理する超音波送受信部と、該処理した反射エコー信号を被検体内の断層像データとして時系列に記録する記録手段と、上記被検体の心電波形を検出して生体信号を生成する生体信号検出手段と、該記録手段からのデータを超音波ビームの走査線ごとに書き込んで画像データを形成するディジタルスキャンコンバータと、該ディジタルスキャンコンバータからの画像データを画像として表示する表示手段とを有する超音波診断装置において、
　上記記録手段は、断層像のリアルタイム像を記録するものと、上記リアルタイム像に関連する参照画像を記録するものとの複数個を並列に備え、
　上記複数個の記録手段から、上記リアルタイム像の心電波形上の心時相に合わせて参照画像をリアルタイム像と同期再生し同一の表示手段の画面に表示させる制御手段を備えた超音波診断装置。」
である点で一致し、次の点で相違する。
　
（相違点１）
　記録手段に関し、本件補正発明では、断層像のリアルタイム像とその心時相情報とを記録させ、上記リアルタイム像に関連する参照画像とその心時相情報とを記録させるに対し、刊行物１発明では、断層像のリアルタイム像を記録させ、上記リアルタイム像に関連する参照画像を記録させるが、これらの心時相情報を記録させることは記載していない点。
　
（相違点２）
　制御手段に関し、本件補正発明では、心電波形のＲ波より所定時相だけ遡った時相又は所定時相だけ経過した時相にてリアルタイム像の心電波形上の心時相マークで示される心時相に合わせて参照画像をリアルタイム像と同期再生させるのに対し、刊行物１発明では、リアルタイム像の心電波形上の心時相に合わせて参照画像をリアルタイム像と同期再生させる点。
　
（４）判断
・相違点１について
　超音波診断装置において、断層像データとその心時相情報とを記録させることは、周知技術［例えば、特開平４−３０８４１号公報（２．特許請求の範囲，第１図）などを参照。］であり、また、上記刊行物１において、図２のＴＶモニタ９に再生像信号が表示されていることからしても、再生画像における心時相（再生像信号）が再生画像とともに記録させていることは明らかであるから、刊行物１発明の超音波診断装置に上記周知技術を用いて、断層像のリアルタイム像とその心時相情報とを記録させ、上記リアルタイム像に関連する参照画像とその心時相情報を記録させることは、当業者が必要に応じて適宜になし得ることにすぎない。
　よって、相違点１に係る本件補正発明の構成は、刊行物１発明及び上記周知技術に基づき当業者が容易に想到し得たものと認められる。
　
・相違点２について
　超音波診断装置において、心電波形の所定の時相から再生開始を指示し、心電波形上の心時相マークで示される心時相に合わせて断層画像を同期再生させることは、周知技術［例えば、特開平４−３０８４１号公報（第３頁右下欄１３行〜第４頁左上欄１０行，第２図）などを参照。］であるから、参照画像とリアルタイム像における心電波形の心時相（ＥＣＧ信号と再生像信号）に合わせて参照画像をリアルタイム像と同期再生させる刊行物１発明の超音波診断装置に上記周知技術を用いて、心電波形のＲ波より所定時相だけ遡った時相又は所定時相だけ経過した時相から再生開始を指示し、参照画像とリアルタイム像における心電波形上の心時相マークで示される心時相に合わせて参照画像をリアルタイム像と同期再生させることは、当業者が容易になし得ることである。
　よって、相違点２に係る本件補正発明の構成は、刊行物１発明及び上記周知技術に基づき当業者が容易に想到し得たものと認められる。
　
　そして、本件補正発明の作用効果も、刊行物１発明及び上記周知技術から当業者であれば予測できる範囲のものである。
　したがって、本件補正発明は、刊行物１発明及び周知技術に基づいて当業者が容易に発明をすることができたものであるから、特許法第２９条第２項の規定により、特許出願の際に独立して特許を受けることができない。
　
（５）むすび
　以上のとおり、本件補正は、平成６年法律第１１６号による改正前の特許法第１７条の２第４項において読み替えて準用する同法第１２６条第３項の規定に違反するものであり、特許法第１５９条第１項の規定で読み替えて準用する同法第５３条第１項の規定により却下すべきものである。
　
３．本願発明について
（１）本願発明
　平成１５年１２月２６日付けの手続補正は上記のとおり却下されたので、本願の請求項１に係る発明（以下、「本願発明」という。）は、平成１５年７月２日付け手続補正書の特許請求の範囲の請求項１に記載された次のとおりのものである。
「【請求項１】
　被検体内に超音波を送受信する探触子と、該送受信した超音波による反射エコー信号を処理する超音波送受信部と、該処理した反射エコー信号を被検体内の断層像データとして時系列に記録すると共に該被検体から検出した生体波の心時相情報を記録する記録手段と、上記被検体の生体波を検出して生体信号を生成すると共に上記記録手段へ送出する生体信号検出手段と、該記録手段からのデータを超音波ビームの走査線ごとに書き込んで画像データを形成するディジタルスキャンコンバータと、該ディジタルスキャンコンバータからの画像データを画像として表示する表示手段とを有する超音波診断装置において、
　上記記録手段は、断層像のリアルタイム像及びその心時相情報を記録するものと、上記リアルタイム像に関連する参照画像及びその心時相情報を記録するものとの複数個を並列に備え、
　上記複数個の記録手段から、上記リアルタイム像の心時相に合わせて参照画像をリアルタイム像と同期再生し同一の表示手段の画面に表示する制御手段を備えたことを特徴とする超音波診断装置。」
　
（２）刊行物に記載された事項
　原査定の拒絶の理由に引用された刊行物１及びその記載事項は前記「２．（２）」に記載したとおりである。
　
（３）対比・判断
　本願発明は、前記２．で検討した本件補正発明から「制御手段」の限定事項である「上記生体信号検出手段で検出された心電波形のＲ波より所定時相だけ遡った時相又は所定時相だけ経過した時相にて（上記リアルタイム像の）心電波形上の心時相マークで示される（心時相に合わせて）」との構成を省いたものである。
　そうすると、本願発明の構成要件を全て含み、さらに他の構成要件を付加したものに相当する本件補正発明が、前記「２．（４）」に記載したとおり、刊行物１発明及び周知技術に基づいて当業者が容易に発明をすることができたものであるから、本願発明も、同様の理由により、刊行物１発明及び周知技術に基づいて当業者が容易に発明をすることができたものである。
　
（４）むすび
　以上のことから、本願発明は、刊行物１発明及び周知技術に基づいて当業者が容易に発明をすることができたものであるから、特許法第２９条第２項の規定により特許を受けることができない。
　したがって、請求項２に係る発明について審理するまでもなく、本願は拒絶されるべきものである。
　よって、結論のとおり審決する。